(57)【要約】【課題】折り畳み式の木質の弁当容器の特徴である自在に折り畳み収納空間を省くという特性を損なうことなく、且つ簡易な操作で折り畳み、展開でき、弁当容器内に設けて米飯、惣菜とを仕切る作用を提供できる弁当容器の仕切り板を提供する。【解決手段】耐折り曲げ特性を有する短冊状の板材に複数の折り畳線を形成して複数の部分に分割し、該折り線から折り曲げて弁当容器内に設け、該弁当容器の側壁の制限によって折り曲げた該板材が該弁当容器内で米飯と惣菜とを仕切る仕切り枠を構成し、且つ該仕切り枠の形状が固定されるように構成する。【選択図】図５
0003134113.tif 000002
【実用新案登録請求の範囲】
【請求項１】
耐折り曲げ特性を有する短冊状の板材に複数の折り畳線を形成して複数の部分に分割し、該折り線から折り曲げて弁当容器内に設け、該弁当容器の側壁の制限によって折り曲げた該板材が該弁当容器内で米飯と惣菜とを仕切る仕切り枠を構成し、且つ該仕切り枠の形状が固定されるように構成することを特徴とする弁当容器の仕切り板。
【請求項２】
前記耐折り曲げ特性を有する短冊状の板材に複数の折り溝を形成し、該板材を三つの部分に分割し、該弁当容器内で三角形の仕切り枠が構成され、且つ形状が固定されるように構成することを特徴とする請求項１に記載の弁当容器の仕切り板。
【請求項３】
前記短冊状の板材の一端に係合突起を形成し、他端に該係合突起が係合するメス係合具を形成することを特徴とする請求項１に記載の弁当容器の仕切り板。
【請求項４】
前記短冊状の板材が木片と該木片に耐折り曲げ特性を有する補強材料を接合してなることを特徴とする請求項１に記載の弁当容器の仕切り板。
【請求項５】
前記耐折り曲げ特性を有する補強材料が、食品用紙であることを特徴とする請求項４に記載の弁当容器の仕切り板。
【請求項６】
前記耐折り曲げ特性を有する補強材料が、プラスチックフィルムであることを特徴とする請求項４に記載の弁当容器の仕切り板。
【請求項７】
前記耐折り曲げ特性を有する補強材料が、ポリエチレンラミネートフィルムであることを特徴とする請求項４に記載の弁当容器の仕切り板。
【請求項８】
前記耐折り曲げ特性を有する短冊状の板材の一端を該板材の適宜な位置に接続して多辺形の仕切り枠を形成することを特徴とする請求項１に記載の弁当容器の仕切り板。
【請求項９】
前記耐折り曲げ特性を有する短冊状の板材の一端を該板材の適宜な位置に接続して矩形の仕切り枠を形成することを特徴とする請求項１に記載の弁当容器の仕切り板。
【考案の詳細な説明】
【技術分野】
【０００１】
この考案は弁当容器に関し、特に米飯、惣菜を収納する空間を仕切るための仕切り板の改良構造に関する。
【背景技術】
【０００２】
図１及び図２に開示する弁当容器は、台湾において「和食弁当デラックス版」と称する従来の弁当容器である。係る弁当容器は切欠き状の切り込み部１１０を形成した仕切り板１１と、同じく切欠き状の切り込み部１２０を形成した仕切り板１２とをそれぞれの切り込み部１１０、１２０の位置で嵌着して、複数の惣菜収納部を具える弁当容器１を構成し、該複数の惣菜収納部には、それぞれ異なる惣菜を収納する。但し、仕切り板１１、１２を切り込み部１１０、１２０の位置で嵌着して複数の惣菜収納部を構成する弁当容器は、組み立てるために手間がかかるため、通常の弁当容器において米飯と惣菜とを仕切る場合に応用することができない。
【０００３】
図３に通常の弁当容器を開示する。通常の弁当容器は、パルプもモールドで形成するか、もしくは紙材を折って形成した仕切り板２０を弁当容器２の底面と側面に粘着して弁当容器２に収納する米飯、惣菜を仕切る。但し、係る仕切り板２０は、弁当容器２に接着しているため、弁当容器を折り畳むことができない。このため、弁当容器を搬送、または収納する場合の空間を節減することができない。係る欠点は、弁当容器のコストに影響する。
【０００４】
従来の折り畳み可能な木質の弁当容器は、仕切り板を設けて米飯と惣菜とを仕切ることができない。仮に、図３に開示するように、パルプモールドによって形成するか、または紙材を折って形成した仕切り板２０を木質の弁当容器に粘着すると、弁当容器を折り畳み平坦にして積み重ねることができなくなり、搬送、収納の空間を省くことができなくなる。
【考案の開示】
【考案が解決しようとする課題】
【０００５】
この考案は、折り畳み式の木質の弁当容器の特徴である自在に折り畳み収納空間を省くという特性を損なうことなく、且つ簡易な操作で折り畳み、展開でき、弁当容器内に設けて米飯、惣菜とを仕切る作用を提供できる弁当容器の仕切り板を提供することを課題とする。
【課題を解決するための手段】
【０００６】
そこで本考案者は、従来の技術に鑑み鋭意研究を重ねた結果、耐折り曲げ特性を有する短冊状の板材に複数の折り畳線を形成して複数の部分に分割し、該折り線から折り曲げて弁当容器内に設け、該弁当容器の側壁の制限によって折り曲げた該板材が該弁当容器内で米飯と惣菜とを仕切る仕切り枠を構成し、且つ該仕切り枠の形状が固定されるように構成する弁当容器の仕切り板によって課題を解決できる点に着眼し、係る知見に基づき本考案を完成させた。
【０００７】
以下、この考案について具体的に説明する。
【０００８】
請求項１に記載する耐折り曲げ特性を有する短冊状の板材に複数の折り畳線を形成して複数の部分に分割し、該折り線から折り曲げて弁当容器内に設け、該弁当容器の側壁の制限によって折り曲げた該板材が該弁当容器内で米飯と惣菜とを仕切る仕切り枠を構成し、且つ該仕切り枠の形状が固定されるように構成する。
【０００９】
請求項２に記載の弁当容器の仕切り板は、請求項１における耐折り曲げ特性を有する短冊状の板材に複数の折り溝を形成し、該板材を三つの部分に分割し、該弁当容器内で三角形の仕切り枠が構成され、且つ形状が固定されるように構成する。
【００１０】
請求項３に記載の弁当容器の仕切り板は、請求項１における短冊状の板材の一端に係合突起を形成し、他端に該係合突起が係合するメス係合具を形成する。
【００１１】
請求項４に記載の弁当容器の仕切り板は、請求項１における短冊状の板材が木片と該木片に耐折り曲げ特性を有する補強材料を接合してなる。
【００１２】
請求項５に記載の弁当容器の仕切り板は、請求項４における耐折り曲げ特性を有する補強材料が、食品用紙である。
【００１３】
請求項６に記載の弁当容器の仕切り板は、請求項４おける耐折り曲げ特性を有する補強材料が、プラスチックフィルムである。
【００１４】
請求項７に記載の弁当容器の仕切り板は、請求項４おける耐折り曲げ特性を有する補強材料が、ポリエチレンラミネートフィルムである。
【００１５】
請求項８に記載の弁当容器の仕切り板は、請求項１おける耐折り曲げ特性を有する短冊状の板材の一端を該板材の適宜な位置に接続して多辺形の仕切り枠を形成する。
【００１６】
請求項９に記載の弁当容器の仕切り板は、請求項１における耐折り曲げ特性を有する短冊状の板材の一端を該板材の適宜な位置に接続して矩形の仕切り枠を形成する。
【考案の効果】
【００１７】
この考案の食物収納ボックスは、折り畳むことができるため運送時に必要な空間を節減するという効果を有する。
【考案を実施するための最良の形態】
【００１８】
この考案は、折り畳み式の木質の弁当容器の特徴である自在に折り畳み収納空間を省くという特性を損なうことなく、且つ簡易な操作で折り畳み、展開でき、弁当容器内に設けて米飯、惣菜とを仕切る作用を提供できる弁当容器の仕切り板であって、耐折り曲げ特性を有する短冊状の板材に複数の折り畳線を形成して複数の部分に分割し、該折り線から折り曲げて弁当容器内に設け、該弁当容器の側壁の制限によって折り曲げた該板材が該弁当容器内で米飯と惣菜とを仕切る仕切り枠を構成し、且つ該仕切り枠の形状が固定されるように構成するという目的を実現した。
【実施例１】
【００１９】
図４に開示するように、この考案による折り畳み式の仕切り板３は、短冊状木片３１の一方の面に、靭性を有し、折り曲げに対して強い抗力を具える補強層３２を設け、他方の面には予め複数の折り線３３を形成して複数の部分に分ける。その末端部分３４は一旦折り返し、短冊状木片３１の一端から最初の折り線３３に至る部分に接続する。この場合、貼着するか、または係合させる。よって、末端部分３４を折り返して接続した短冊状木片３１は、折り線３３に沿って折り畳み、かつ展開することができる。このため、仕切り板３を弁当容器に用いる前の段階において搬送、収納する場合、折り畳んだ状態にすることができ、収納空間を節約することができる。
【００２０】
前述の補強層３２は、食品用紙か、ポリエステルラミネートフィルムか、或いは表面にポリエステルラミネートフィルムを具えたプラスチックフィルムなどから選択される材料によってなり、加熱圧着して熔融したポリエステルラミネートフィルム層を短冊状木片３１の繊維組織に浸透させ。結合させる。
【００２１】
プラスチックフィルムの材料には、生分解性のポリ乳酸（Ｐｏｌｙ  Ｌａｃｔｉｃ  Ａｃｉｄ）、二軸延伸ポリプロピレン（Ｏｒｉｅｎｔｅｄ  Ｐｏｌｙ  Ｐｒｏｐｙｌｅｎｅ）、ポリエチレン、ポリエチレンテレフタレート樹脂、ポリプロピレンなどが含まれるが、但しこれらに限らない。ＰＥラミネート層を熔融して結合の仲介とするか、または加熱圧着して直接繊維組織内に浸透させて、仕切り板３に耐折り曲げ特性を与える。
【００２２】
仕切り板３は簡易な操作で展開させて弁当容器４内に置くことができる。この場合、弁当容器４の側壁の制限を受けて展開した形状が固定され、弁当容器４内に米飯、他の惣菜との間を仕切る仕切り枠３０を構成する。仕切り枠３０の形状は、図示するように、矩形であってもよく、またはその他多辺形であってもよい。
【００２３】
弁当容器４は、一般の形状が固定された弁当容器であるか、または折り畳むことができ、搬送、収納時の空間を節約できる構造の弁当容器であってもよい。折り畳み式の弁当容器の場合は、弁当容器４の端縁部支持板４１を起こして端縁部を紙材で封着した端縁封着部４２を展開し、前述するように仕切り板３を展開して弁当容器４内に設けて弁当容器４の側壁に圧接させる。
【実施例２】
【００２４】
図５に他の実施形態による仕切り板５を開示する。図面によれば、耐折り曲げ特性を具える短冊状木片５１に複数の折線５２を形成して複数の部分に区切る。また、両端の端縁部５３、５４を折り返して短冊状木片５１の折り線５２を形成しない部分に接続する。係る構造によって折り畳み可能な仕切り枠５５を構成する。
【００２５】
仕切り板５は、折り畳み積み重ねることができる。図５に、折り畳んだ仕切り板５を展開する場合の動作を矢印で示す。図示するように、仕切り板５は、略平坦に折り畳まれた状態から中間の方向に向かって展開し、仕切り枠５５を形成する。図６に開示するように、矩形を呈する仕切り枠５５は、弁当容器４の側壁に制限されて矩形に展開した状態を保ち、米飯、異なる惣菜を仕切る作用を提供する。
【００２６】
しかしながら、斯業の技術に知悉した者であればわかるように、この考案による折り畳み式の仕切り板の範囲は、矩形の仕切り枠３０、もしくは５０に限らない。例えば、図７に開示するように、三角形を呈する仕切り板６であってもよい。この場合、複数の折り線６２を形成し、耐折り曲げ特性を有する短冊状木片６１を三つの部分に分ける。好ましくは一端に係合突起６３を形成し、他端にメス係合具６４を形成し、折り線６２の位置で短冊状木片６１を折り曲げて、三角形の仕切り枠６５を形成し、係合突起６３をメス係合具６４に係合して三角形を呈する仕切り枠６５の形状を固定する。
【００２７】
図４に開示する仕切り枠３０の末端部分３４を固定する場合、この実施の形態における係合突起６３とメス係合具６４とを係合させる方式を用いてもよい。
【００２８】
図８、図９に開示するように、弁当容器４にそれぞれ形状の異なる折り畳み式の仕切り板５、７もしくは８を設けて、異なる形状の仕切り枠５５、７０を形成し、これらを組み合わせることによって弁当容器の仕切りの態様を様々に変化させることができる。三角形の仕切り板７、８は、上述するように、折り線７１、８１を形成して三つの部分に分け、その両端には嵌着溝、もしくは係合突起６３、メス係合具６４などを形成する。また、弁当容器４の側壁の制限を受けることによって、三角形の仕切り枠７０、８０の形状が保たれ、米飯、異なる惣菜を仕切る作用を提供する。
【００２９】
上述するように、この考案においては短冊状の板材に複数の折り線を形成して該板材を複数の部分に分割し、これを折り曲げて弁当容器内に設ける。同時に弁当容器の側壁の制限によって折り曲げた後の形状を保持して弁当容器における米飯と惣菜を仕切る仕切り枠とする。
【００３０】
この考案による弁当容器の仕切り板は、従来の仕切り板に比して次に掲げる特徴を有する。
１．容器に複数の形状が同一、または異なる仕切り板を設けることによって様々の幾何的形状の仕切り枠を組み合わせることができる。この点については従来の弁当容器の仕切り板が達成できるものではない。
２．この考案による弁当容器の仕切り板は、折り畳んで略平坦にすることができるため、積み重ねて収納することができ、搬送、収納の空間を大幅に節減することができる。また、簡易な動作で折り畳み、展開することができるため、弁当製造業者に対して多大な利便性をもたらすことができる。
３．この考案による弁当容器の仕切り板は、折り畳み可能な弁当容器に用いることができ、弁当容器の自在に折り畳むことができるという長所を維持し、これに仕切り板を与え、米飯と惣菜とを仕切る作用を賦与することができる。
【００３１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３２】
【図１】複数の仕切り枠を具えた従来の弁当容器を示した斜視図である。
【図２】図１に開示する仕切り枠を組み立てる動作を示した説明図である。
【図３】従来の弁当容器を示した斜視図である。
【図４】この考案による弁当容器の仕切り板を示した説明図である。（実施例１）
【図５】この考案による弁当容器の仕切り板を展開する動作を示した説明図である。（実施例２）
【図６】図５に開示する仕切り板を弁当容器に設けた状態を示した斜視図である。
【図７】他の実施の形態による弁当容器の仕切り板を示した説明図である。
【図８】複数の異なる形態の仕切り板を弁当容器に設けた状態を示した説明図である。
【図９】複数の異なる形態の仕切り板を弁当容器に設けた他の状態を示した説明図である。
【符号の説明】
【００３３】
１      食物収納ボックス
２      ランチボックス
３      仕切り板
４      弁当容器
５      仕切り板
６      仕切り板
７      仕切り板
８      仕切り板
１１    横仕切り板
１２    縦仕切り板
２０    仕切り板
３０    仕切り枠
３１    短冊状木片
３２    補強層
３３    折り線
３４    末端部分
４１    端縁部支持板
４２    端縁封着部
５１    短冊状木片
５２    折り線
５３    端縁部
５４    端縁部
５５    仕切り枠
６１    短冊状木片
６２    折り線
６３    係合突起
６４    メス係合具
６５    仕切り枠
７０    仕切り枠
７１    折り線
８０    仕切り枠
８１    折り線
１１０  嵌合溝
１２０  嵌合溝
【図１】
0003134113.tif 000003
【図２】
0003134113.tif 000004
【図３】
0003134113.tif 000005
【図４】
0003134113.tif 000006
【図５】
0003134113.tif 000007
【図６】
0003134113.tif 000008
【図７】
0003134113.tif 000009
【図８】
0003134113.tif 000010
【図９】
0003134113.tif 000011